(57)【要約】【課題】軸筒内に、固定案内筒と、端面にカム傾斜面を有した回転カム筒と、カム突片を前記カム傾斜面に当接し、固定案内筒に対して回転不能に組み込まれた摺動押圧子とで構成された回転式の繰出機構を備えた回転繰出式筆記具において、筆記時における筆記体の前後方向および軸径方向のがたつきを、簡単な構造で解消した回転繰出式筆記具を提案する。【解決手段】従来より知られている、固定案内筒と、回転カム筒と、摺動押圧子とで構成された回転式の繰出機構を軸筒内に備えた回転繰出式筆記具において、摺動押圧子１０とボールペンレフィル３との間に、一端をボールペンレフィル３後端に装着した尾栓１２に当接し、他端を摺動押圧子１０の前端面１０ａに当接した、ボールペンレフィル３を後軸２ｂの後端側方向に付勢するばね４より大きな弾発力を有する第二のばね１３を、略自然長の状態で設ける。【選択図】図１
2009269263.tif 000002
【特許請求の範囲】
【請求項１】
軸筒内に、固定案内筒と、該固定案内筒の内部に、端面にカム傾斜面を有した、固定案内筒に対して回転可能に組み込まれた回転カム筒と、カム突片を前記カム傾斜面に当接し、固定案内筒に対して回転不能に組み込まれた摺動押圧子とで構成された回転式の繰出機構を備え、回転カム筒の回転にともないカム突片がカム傾斜面を移動することで摺動押圧子が前後動して、摺動押圧子の前方に配した、弾性体により後方に付勢した筆記体を連動して前後動し、筆記体の筆記先端部を軸筒の先端開口部から出没させる回転繰出式筆記具において、筆記体に段部を設け、軸筒の内壁に、筆記体の筆記先端部が軸筒の先端開口部より突出した際に前記段部が当接する平地段部を設け、筆記体の後端と摺動押圧子の前端との間に第二の弾性体を配し、筆記体の筆記先端部が軸筒の先端開口部より突出した際に、前記筆記体の段部が軸筒の平地段部に７．８４Ｎ（８００ｇｆ）以上の荷重で衝接することを特徴とする、回転繰出式筆記具。
【発明の詳細な説明】
【技術分野】
【０００１】
本発明は、固定案内筒と、回転カム筒と、摺動押圧子とで構成された回転式の繰出機構を軸筒内に備えた回転繰出式筆記具に関する。
【背景技術】
【０００２】
従来より、軸筒内に、固定案内筒と、該固定案内筒の内部に、端面にカム傾斜面を有した、固定案内筒に対して回転可能に組み込まれた回転カム筒と、カム突片を前記カム傾斜面に当接し、固定案内筒に対して回転不能に組み込まれた摺動押圧子とで構成された回転式の繰出機構を備え、回転カム筒の回転にともないカム突片がカム傾斜面を移動することで摺動押圧子が前後動して、摺動押圧子の前方に配した、弾性体により後方に付勢した筆記体も連動して前後動し、筆記体の筆記先端部を軸筒の先端開口部から出没させる回転繰出式筆記具は、知られている。
【０００３】
回転繰出式筆記具は、図１に示すように、一般的には軸筒２が前軸２ａと後軸２ｂとで構成され、後軸２ｂは前軸２ａに対して回転可能にかつ着脱自在に設けてある。固定案内筒７は前軸２ａに直接または間接的に固定されており、固定案内筒７内部には、固定案内筒７対して回転可能に回転カム筒８が、固定案内筒７に対して回転不能に摺動押圧子１０が組み込まれている。摺動押圧子１０は筆記体（ボールペンレフィル）３を、ばね４により後方に付勢されて軸筒２内に収容した筆記体（ボールペンレフィル）３の後端に連接している。摺動押圧子１０は筆記体３（ボールペンレフィル）を介して後方側（図１において右側方向）に常時押圧された状態となっている。回転カム筒８は、直接または間接的に後軸２ｂに連接させてあり、後軸２ｂを前軸２ａに対して回転させると、後軸２ｂに連動して回転カム筒８も回転するようにしてある。
【０００４】
回転カム筒８の回転にともない摺動押圧子１０のカム突片９が回転カム筒８のカム傾斜面（図示せず）に沿って移動することで摺動押圧子１０は前後動し、摺動押圧子１０が前進すると、摺動押圧子１０の前方に配した筆記体（ボールペンレフィル）３も前進し、筆記体３の筆記先端部（チップ先端）１４を前軸２ａの先端開口部１８から突出させる。
【０００５】
こうした筆記体の筆記先端部を軸筒の先端開口部より出没させる繰出機構を有した筆記具においては、筆記先端部を軸筒の先端開口部より出没させるために、筆記先端部の軸径は軸筒の先端開口部の内径より小径になっており、筆記時における筆記体の前後方向および軸径方向にがたつくという「筆記体のがたつき問題」がある。
【０００６】
ところで、軸筒内に筆記体を収容した構造の筆記具においては、筆記時における書き味を改善するために、筆記時における筆圧を緩衝するものとして緩衝用バネを備えた構造が従来より多数提案されており、そうした中に、軸筒内に押出機構を備えた押出式ボールペンにおいて、押出機構との間に、筆記体を軸筒内に引込むためのバネよりも強い弾発力の筆圧緩衝用弾性部材を介在させた「押出式ボールペン」に係る考案が、実開昭５７−１６３３７６号の公報により提案されている。
【０００７】
本発明者は、前記筆圧緩衝用ばねに着目し、種々検討した結果、ばねの弾発力を強くして軸筒内に収容した筆記体の先端部を軸筒の先端開口部近傍の内壁面に強い荷重で衝接させることで、前記した筆記時における「筆記体のがたつき問題」を解消することが可能であることが判り、本発明に至った。
【特許文献１】実開昭５７−１６３３７６号公報
【発明の開示】
【発明が解決しようとする課題】
【０００８】
本発明は、軸筒内に、固定案内筒と、該固定案内筒の内部に、端面にカム傾斜面を有した、固定案内筒に対して回転可能に組み込まれた回転カム筒と、カム突片を前記カム傾斜面に当接し、固定案内筒に対して回転不能に組み込まれた摺動押圧子とで構成された回転式の繰出機構を備え、回転カム筒の回転にともないカム突片がカム傾斜面を移動することで摺動押圧子が前後動して、摺動押圧子の前方に配した、弾性体により後方に付勢した筆記体も連動して前後動し、筆記体の筆記先端部を軸筒の先端開口部から出没させる回転繰出式筆記具において、筆記時における筆記体の前後方向および軸径方向のがたつきを、簡単な構造で解消した回転繰出式筆記具を提案するものである。
【課題を解決するための手段】
【０００９】
本発明は、
「１．軸筒内に、固定案内筒と、該固定案内筒の内部に、端面にカム傾斜面を有した、固定案内筒に対して回転可能に組み込まれた回転カム筒と、カム突片を前記カム傾斜面に当接し、固定案内筒に対して回転不能に組み込まれた摺動押圧子とで構成された回転式の繰出機構を備え、回転カム筒の回転にともないカム突片がカム傾斜面を移動することで摺動押圧子が前後動して、摺動押圧子の前方に配した、弾性体により後方に付勢した筆記体を連動して前後動し、筆記体の筆記先端部を軸筒の先端開口部から出没させる回転繰出式筆記具において、筆記体に段部を設け、軸筒の内壁に、筆記体の筆記先端部が軸筒の先端開口部より突出した際に前記段部が当接する平地段部を設け、筆記体の後端と摺動押圧子の前端との間に第二の弾性体を配し、筆記体の筆記先端部が軸筒の先端開口部より突出した際に、前記筆記体の段部が軸筒の平地段部に７．８４Ｎ（８００ｇｆ）以上の荷重で衝接することを特徴とする、回転繰出式筆記具。」
である。
【００１０】
本発明において、軸筒の内壁に、筆記体に設けた段部が当接する平地段部を設けるが、該平地段部は内壁にリング状に設けることが好ましいが、周状に等間隔に複数設けた状態の形状でも良い。
【００１１】
本発明においては、筆記体の後端と摺動押圧子の前端との間に第二の弾性体を配するが、当然に前記第二の弾性体は筆記体を後方に付勢する弾性体よりも強い弾発力を有したものである。
【００１２】
また本発明においては、筆記体の筆記先端部を軸筒の先端開口部より突出した際に、筆記体に設けた段部が軸筒の内壁に設けた平地段部に、７．８４Ｎ（８００ｇｆ）以上の荷重で衝接することが重要となるが、その値の根拠は、一般的に高筆圧で筆記する場合は複写紙に筆記する時で、複数枚綴り例えば４枚綴りの複写紙において、最終の頁に筆跡が明瞭に形成されるには４．９Ｎ（５００ｇｆ）の筆圧荷重で筆記すれば充分である。一般的な人であれば通常の筆記においての筆圧は４．９Ｎ（５００ｇｆ）以下で、筆記体の段部が軸筒の平地段部に７．８４Ｎ（８００ｇｆ）以上の荷重で衝接していれば、筆記体が前後動することがなく、かつ軸径方向へのがたつきも抑制されるからである。仮に、７．８４Ｎ（８００ｇｆ）以上の荷重での衝接でも前記がたつきが生じるような高筆圧荷重の筆記者に対しては、例えば９．８Ｎ（１ｋｇｆ）の荷重で衝接するものを提供することで、問題を解消することができる。
【発明の効果】
【００１３】
本発明の回転繰出式筆記具は前記したような構造なので、筆記時において、筆記体が前後動することがなく、かつ筆記体の段部と軸筒の平地段部とが衝接しているので、筆記体が軸径方向へがたつくこともない。
【発明を実施するための最良の形態】
【００１４】
本発明の回転繰出式筆記具は、従来より知られている、固定案内筒と、回転カム筒と、摺動押圧子とで構成された回転式の繰出機構を有した回転繰出式筆記具において、筆記体の筆記先端部が軸筒の先端開口部より突出した際に、筆記体が軸筒の内壁に衝接するようにして、筆記体の後端と摺動押圧子の前端との間に第二の弾性体を配する。
【実施例】
【００１５】
本発明の実施例を図面を用いて説明する。本実施例では回転繰出式筆記具としてボールペンレフィールを軸筒内に収容した回転繰出式のボールペンに適用した例を示すが、本発明はボールペンに限定されるものではない。図１は、本発明の実施例における回転繰出式ボールペンの、一部断面を省略した縦断面図である。図２は、図１においてボールペンレフィルのチップ先端が軸筒の先端開口部より突出した状態を示す図である。
【００１６】
図１および図２に示す、本実施例の回転繰出式ボールペン１は、従来と同様に軸筒２を前軸２ａと後軸２ｂとで構成してある。軸筒２内にはボールペンレフィル３を、第一のばね４により後軸２ｂの後端側方向（図において右側方向）に付勢して収容してある。後軸２ｂにはクリップ５を装着してある。
【００１７】
前軸２ａの後端には、従来の回転式の繰出機構と同様の回転式の繰出機構を連接してある。繰出機構は、軸心に沿った方向に延びた長孔６を有し両端を開口した固定案内筒７と、端面にカム傾斜面（図示せず）を有した回転カム筒８と、前記長孔６と係合するカム突片９を外周面上に備えた摺動押圧子１０とで構成されている。固定案内筒７内には、小径部８ａを固定案内筒７の後端から外方に突出させて回転カム筒８が組み込まれている。また、回転カム筒８の前方端には、カム突片９の軸心に沿った方向の先端９ａ（図１において右側）を回転カム筒８のカム傾斜面に当接させ、カム突片９を固定案内筒７に形成した長孔６に係合させて、摺動押圧子１０が組み込まれている。摺動押圧子１０は、回転カム筒８の回転に対しカム突片９の先端９ａが回転カム筒８のカム傾斜面上を移動することで、固定案内筒７内を前後動し、カム突片９が固定案内筒７の長孔６に係合しているので、回転カム筒８に連動して回転することはない。
【００１８】
前記固定案内筒７は、前軸２ａの後端に螺子嵌合により取付けられている。固定案内筒７の後端より突出した回転カム筒８の小径部８ａは、後軸２ｂに形成した係合部１１に係合しており、後軸２ｂの回転に連動して回転可能に設けてある。
【００１９】
従来と同様に、後軸２ｂを前軸２に対して回転すると、回転カム筒８も回転し、該回転カム筒８の回転にともない、摺動押圧子１０のカム突片９の先端９ａがカム傾斜面を移動し、カム突片９が固定案内筒７の長孔６に係合しているので、摺動押圧子１０は固定案内筒７に対して前後動する。
【００２０】
前記摺動押圧子１０の前方（図１において左側）にはボールペンレフィル３を配しており、摺動押圧子１０とボールペンレフィル３との間に、一端をボールペンレフィル３後端に装着した尾栓１２に当接し、他端を摺動押圧子１０の前端面１０ａに当接した、ボールペンレフィル３を後軸２ｂの後端側方向に付勢するばね４より大きな弾発力を有する第二のばね１３を、略自然長の状態で設けてある。
【００２１】
ボールペンレフィール３は、筆記先端部であるボールペンチップ１４とインキを収容したインキ収容筒１５とで構成され、インキ収容筒１５の形状は、ボールペンチップ１４を装着する小径な挿着部１５ａと、大径なインキ収容部１５ｂと、挿着部１５ａとインキ収容部１５ｂを連接る連接部１５ｃとで形成されている。挿着部１５ａはボールペンチップ１４の外径より大径であり、挿着部１５ａの前端には段部１６を形成してある。挿着部１５ａの後方（図１において左側）には、第１のばねの後端を支持するインキ収容部１５ｂの外径より小径な支持突部１７を設けてある。
【００２２】
前軸２ａの先端部（図１において左側）の内壁は、先端開口部１８に連通するボールペンチップ１４の外径より若干大径な内径でボールペンチップ１４が遊嵌可能な、長手方向の長さがボールペンチップ１４の挿着部１５ａより突出した長さより短い第一内壁部１９と、インキ収容筒１５の挿着部１５ａの外径より大径な内径で挿着部１５が遊嵌可能な、長手方向の長さが挿着部１５ａの長さより短い第二内壁部２０と、第一のばね４が嵌合する嵌合部２１と、該嵌合部２１の内径より大径な内径で、挿着部１５ａの支持突部１７が遊嵌可能な、長手方向の長さがボールペンチップ１４の挿着部１５ａの長さより短い第三内壁部２２と、インキ収容部１５ｂの外径より大径な内径の第四内壁部２３とが連接した形状となっている。前記第一内壁部１９と第二内壁部２０とで形成される平地段部２４は、前記ボールペンレフィール３の挿着部１５ａの前端に設けられた段部１６に当接可能としてある。
【００２３】
前軸２ａに対して後軸２ｂを回転すると、前記したように、回転カム筒８の小径部８ａが後軸２ｂに形成した係合部１１に係合しているので、回転カム筒８は後軸２ｂの回転に連動して回転し、摺動押圧子１０は、カム突片９が固定案内筒７の長孔６に係合しているので、カム突片９の先端９ａがカム傾斜面を移動することで固定案内筒７に対して前後動し、第二のばね１３を介してボールペンレフィル３の尾栓１２を前方に押圧し、ボールペンレフィル３を前進させる。ボールペンレフィル３のボールペンチップ１４の先端が前軸２ａの先端開口部１８より突出するとともに、ボールペンレフィル３に設けた段部１６が前軸２ａの内壁に形成した平地段部２４に衝接する（図２を参照）。この時、前記段部１６が平地段部２４に衝接するまでの距離と、摺動押圧子９が固定案内筒６または後軸２ｂに対して前進する距離は後者の方が長く、第二のばね１３は全長が縮み、その弾発力で前記段部１６は平地段部２４に衝接が、第二のばね１３を、段部１６が平地段部２４に７．８４Ｎ（８００ｇｆ）以上の荷重で衝接するように設定する。
【産業上の利用可能性】
【００２４】
本発明は、固定案内筒と、回転カム筒と、摺動押圧子とで構成された回転式の繰出機構を軸筒内に備えた回転繰出式筆記具に採用され、筆記時における筆記体の前後方向および軸径方向のがたつきを防止した回転繰出式筆記具を得ることができる。また、第二の弾性体の弾発力を調整することで、筆記時における筆圧緩衝構造を有する回転繰出式筆記具を得ることができる。
【図面の簡単な説明】
【００２５】
【図１】本発明の実施例における回転繰出式ボールペンの、一部断面を省略した縦断面図である。
【図２】図１においてボールペンレフィルのチップ先端が軸筒の先端開口部より突出した状態を示す図である。
【符号の説明】
【００２６】
１  回転繰出式ボールペン
２  軸筒
２ａ  前軸
２ｂ  後軸
３  ボールペンレフィル
４  ばね
６  長孔
７  固定案内筒
８  回転カム筒
９  カム突片
９ａ  先端
１０  摺動押圧子
１３  第二のばね
１４  ボールペンチップ
１６  段部
１８  先端開口部
２４  平地段部
【図１】
2009269263.tif 000003
【図２】
2009269263.tif 000004